(57)【特許請求の範囲】
【請求項１】
ヘアートリム装置であって、
カッティングブレード組立体を有する本体と、
前記本体上のカッティングガイドであって、該カッティングガイドの位置は、前記カッティングブレード組立体に対して調整可能であり、ユーザの肌からのカッティング距離は、ヘアーを所望の長さに切断することができるように提供されるカッティングガイドと、
前記カッティングブレード組立体に対する所定の位置に、前記カッティングガイドをロックするロックユニットと、
を有し、
前記ロックユニットは、第1のロック素子、第2のロック素子、および複数の受容凹部を有し、隣接する受容凹部の間にはリッジが形成され、前記第1および第2のロック素子は、相互に対して移動可能であり、前記カッティングガイドを異なる位置にロックするように、前記カッティングガイドの前記カッティングブレード組立体に対する位置が調整された際に、前記受容凹部に交互に配置され、
前記第1および第2のロック素子は、前記第1および第2のロック素子の他方が前記受容凹部の一つに収容されると、前記リッジの一つに交互に配置される、ヘアートリム装置。
【請求項２】
前記第1および第2のロック素子は、相互に隣接し、前記カッティングガイドを異なる位置にロックするため、前記カッティングブレード組立体に対する前記カッティングガイドの位置が調整されると、前記受容凹部に交互に受容される、請求項1に記載のヘアートリム装置。
【請求項３】
前記第1および第2のロック素子は、相互に離間され、前記カッティングガイドを異なる位置にロックするため、前記カッティングブレード組立体に対する前記カッティングガイドの位置が調整されると、異なる受容凹部に交互に受容される、請求項1に記載のヘアートリム装置。
【請求項４】
前記第1および第2のロック素子は、開口に受容され、
前記第1および第2のロック素子には強制ユニットが作用し、該強制ユニットは、前記第1および第2のロック素子を前記開口から突出させるように働きかける、請求項1乃至3のいずれか一つに記載のヘアートリム装置。
【請求項５】
さらに、前記受容凹部から出るように、前記第1および第2のロック素子に選択的に働きかけるように構成されたリリースユニットを有する、請求項1乃至4のいずれか一つに記載のヘアートリム装置。
【請求項６】
前記リリースユニットは、前記第1および第2のロック素子に作用するように構成されたリリース面を有し、
前記リリースユニットは、前記リリース面が前記第1および第2のロック素子に作用して、前記受容凹部から出るように前記第1および第2のロック素子に働きかける作動位置と、引き戻し位置との間で移動可能である、請求項5に記載のヘアートリム装置。
【請求項７】
前記リリースユニットが前記引き戻し位置にあるとき、前記リリースユニットの前記リリース面は、前記受容凹部のベースから下がったレベル、または前記または各受容凹部のベースのレベルに延伸する、請求項6に記載のヘアートリム装置。
【請求項８】
前記リリース面は、該リリース面に形成された1または2以上のアライメント素子を有する、請求項6または7に記載のヘアートリム装置。
【請求項９】
前記リリースユニットが作動位置にあるとき、前記アライメント素子は、前記ロック素子が前記リリース面に沿ってスライドするように構成される、請求項8に記載のヘアートリム装置。
【請求項１０】
前記第1および第2のロック素子の各々は、
前記または各受容凹部に受容されるように構成されたロック区画と、
前記リリースユニットが作用するように構成されたリリース区画と、
を有する、請求項5乃至9のいずれか一つに記載のヘアートリム装置。
【請求項１１】
前記第1および第2のロック素子は、前記本体上にあり、前記少なくとも一つの受容凹部は、前記カッティングガイド上にある、請求項1乃至10のいずれか一つに記載のヘアートリム装置。
【請求項１２】
前記ロックユニットは、前記カッティングガイドが2または3以上の別個の位置でロックされるように構成される、請求項1乃至11のいずれか一つに記載のヘアートリム装置。
【請求項１３】
前記2または3以上の別個の位置は、2mm以下の距離、好ましくは約1mmの距離で離間される、請求項12に記載のヘアートリム装置。
【発明の詳細な説明】
【技術分野】
【０００１】
本願は、ヘアートリム装置に関する。
【背景技術】
【０００２】
体や顔の脱毛用の身だしなみ装置が存在する。そのような装置は、「トリマー」またはヘアートリム装置として知られており、通常、固定ブレード組および隣接する移動ブレード組を有し、後者は固定ブレードに対して左右に振動し、2組のブレードの間に突出するヘアーを脱毛する。そのような装置を使用した際、特に顔のヘアー（毛）について、ユーザが所望のヘアー長さを得るために正確な脱毛を行うことが難しい場合がある。
【０００３】
所望のヘアー長さを得るための一つの方法は、取り替え可能な櫛状部材を使用することである。そのような櫛状部材は、カッティングガイドとしても知られており、ユーザの肌からブレードを遠ざけるスペーサとして機能する。そのような櫛状部材は、ガイド表面を有し、この表面をユーザの肌に対して配置することにより、トリミング長さを定めることができる。従って、ユーザの肌に沿って櫛状部材を動かした際に、ヘアーを所定の長さに切断することができる。
【発明の概要】
【発明が解決しようとする課題】
【０００４】
取り替え可能な櫛状部材を使用することに関する問題は、異なるヘアー長さを得るため、異なる櫛状部材が必要となることである。従って、ヘアートリム装置の本体に取り付けられ、本体に対して移動可能な、一つの櫛状部材を提供することが知られている。これにより、ブレードとガイド表面の間の距離を変更することができる。
【０００５】
しかしながら、調整式の櫛状部材により、トリム長さを正確に定めることは難しい。
【０００６】
本発明の目的は、前述の問題を実質的に軽減または解消する、ヘアートリム装置を提供することである。
【課題を解決するための手段】
【０００７】
本発明では、ヘアートリム装置であって、
カッティングブレード組立体を有する本体と、
前記本体上のカッティングガイドであって、該カッティングガイドの位置は、前記カッティングブレード組立体に対して調整可能であり、ユーザの肌からのカッティング距離は、ヘアーを所望の長さに切断することができるように提供されるカッティングガイドと、
前記カッティングブレード組立体に対する所定の位置に、前記カッティングガイドをロックするロックユニットと、
を有し、
前記ロックユニットは、第1のロック素子、第2のロック素子、および複数の受容凹部を有し、前記第1および第2のロック素子は、相互に対して移動可能であり、前記カッティングガイドを異なる位置にロックするように、前記カッティングガイドの前記カッティングブレード組立体に対する位置が調整された際に、前記受容凹部または前記受容凹部の一つに交互に配置される、ヘアートリム装置が提供される。
前記ロックユニットは、複数の受容凹部を有する。前記カッティングブレード組立体に対する前記カッティングガイドの位置が調整されると、前記第1および第2のロック素子は、前記受容凹部に交互に配置されても良い。
隣接する受容凹部の間にはリッジが形成され、前記第1および第2のロック素子は、前記第1および第2のロック素子の他方が前記受容凹部の一つに受容された際に、前記リッジの一つに交互に配置されても良い。
【０００８】
前述の配置では、カッティングブレード組立体に対するカッティングガイドの別個のロック位置の数を倍にすることが可能となる。特に、各受容凹部に対して、2倍の数のロック位置を提供することが可能となる。これにより、ロックユニットは、受容凹部と、適切なサイズのロック素子とを有するようになり、ロックユニットの剛性を高めることができる。また、受容凹部同士の間の間隔を維持したまま、別個のロック位置の間の距離を低減することが可能となる。
【００１０】
この配置では、多くの数の別個のロック位置を提供することができる。
【００１２】
前述の配置では、受容凹部の間に剛性のある分割を維持したまま、別個のロック位置の間の距離を低減することができる。
【００１３】
前記カッティングガイドの前記カッティングブレード組立体に対する経路に沿ったいかなる配列で、複数の受容凹部を配置しても良い。
【００１４】
前記第1および第2のロック素子は、相互に隣接し、前記カッティングガイドを異なる位置にロックするため、前記カッティングブレード組立体に対する前記カッティングガイドの位置が調整されると、前記受容凹部に交互に受容されても良い。この配置の有利な点は、ロックユニットのサイズが最小化されることである。
【００１５】
前記第1および第2のロック素子は、相互に離間され、前記カッティングガイドを異なる位置にロックするため、前記カッティングブレード組立体に対する前記カッティングガイドの位置が調整されると、異なる受容凹部に交互に受容されても良い。この配置の一つの利点は、ロック素子が相互に途切れないことである。また、ロック素子が相互に離間されているため、一つのロック素子の不具合が、他のロック素子の不具合につながらないことである。
【００１６】
前記第1および第2のロック素子は、開口に受容されても良い。前記第1および第2のロック素子には強制ユニットが作用し、該強制ユニットは、前記第1および第2のロック素子を前記開口から突出させるように働きかけても良い。前記受容凹部は、前記取り付け面に対向しても良い。
【００１７】
前述の配置では、ロック素子は、ロックユニットをロック状態に維持するようにされる。従って、ヘアートリム装置の使用時には、カッティングガイドの移動が制限される。
【００１８】
さらに、ヘアートリム装置は、前記または各受容凹部から出るように、前記第1および第2のロック素子に選択的に働きかけるように構成されたリリースユニットを有しても良い。
【００１９】
この配置では、ロックユニットを分離することができる。従って、カッティングガイドを異なる位置にロックするための、カッティングブレード組立体に対するカッティングガイドの位置の調整が簡単になる。
【００２０】
前記リリースユニットは、前記第1および第2のロック素子に作用するように構成されたリリース面を有しても良い。前記リリースユニットは、前記リリース面が前記第1および第2のロック素子に作用して、前記受容凹部から出るように前記第1および第2のロック素子に働きかける作動位置と、引き戻し位置との間で移動可能であっても良い。
【００２１】
前記リリースユニットが前記引き戻し位置にあるとき、前記リリースユニットの前記リリース面は、前記受容凹部のベースから下がったレベル、または前記または各受容凹部のベースのレベルに延伸しても良い。これにより、ロック素子を前記または各受容凹部に、確実に受容させる手段が提供される。
【００２２】
前記リリース面は、該リリース面に形成された1または2以上のアライメント素子を有しても良い。アライメント素子は、リリース面に形成された隆起またはインデントであっても良い。前述の配置では、ユーザに触知できるフィードバックが提供される。これにより、ユーザがカッティングガイドの位置を正確に決定できる手段が提供される。また、ロック素子を、前記または各受容凹部に容易に整列することができる。
【００２３】
アライメント素子は、ロック素子の一つを、少なくとも一つの受容凹部に整列させるように構成されても良い。従って、ロック素子を、前記または各受容凹部に正確に整列されることができる。
【００２４】
前記リリースユニットが作動位置にあるとき、前記アライメント素子は、前記ロック素子が前記リリース面に沿ってスライドするように構成されても良い。これは、ユーザがカッティングガイドに過度の力を加えなくても、ユーザにフィードバックを提供できることを意味する。
【００２５】
前記第1および第2のロック素子の各々は、
前記または各受容凹部に受容されるように構成されたロック区画と、
前記リリースユニットが作用するように構成されたリリース区画と、
を有しても良い。リリース区画は、ロック区画からから突出しても良い。
【００２６】
前述の配置では、受容凹部からロック素子を容易に分離することができる。
【００２７】
ロック区画の一部は、リリース区画のいずれかの側に延伸しても良い。従って、リリースユニットは、ロック素子の各々にバランス力を加えることが可能になる。また、ロック素子は、移動方向に力を受けるようになる。
【００２８】
前記第1および第2のロック素子は、前記本体上にあり、前記少なくとも一つの受容凹部は、前記カッティングガイド上にあっても良い。これは、製造が容易になることを意味する。
【００２９】
前記ロックユニットは、前記カッティングガイドが2または3以上の別個の位置でロックされるように構成されても良い。前述の配置では、切断長さを正確に定めることができる。
【００３０】
前記2または3以上の別個の位置は、2mm以下の距離、好ましくは約1mmの距離で離間される。従って、前記切断長さを正確に制御できるようになる。本発明のこれらのおよび他の態様は、以降に記載の実施例を参照することにより明らかとなる。
【図面の簡単な説明】
【００３１】
【図１】ヘアートリム装置の斜視図である。
【図２】図1に示したヘアートリム装置のハンドル部の部分断面図である。
【図３】図1に示したヘアートリム装置のカッティングガイドの斜視図である。
【図４】図3に示したカッティングガイドの別の部分斜視図である。
【図５】図3に示したカッティングガイドの別の部分斜視図である。
【図６】図1に示したヘアートリム装置のロックユニットの第1のロック部の部分断面図である。
【図７】図6に示したロックユニットの第1のロック部の斜視図である。
【図８】図1に示した装置のロックユニットの第1のロック部および第2のロック部の部分断面図である。
【図９】図1に示した装置のロックユニットの第1のロック部および第2のロック部の別の部分断面図である。
【図１０】図1に示したヘアートリム装置のロックユニットの、第1のロック位置における概略的な側断面図である。
【図１１】図10に示したロックユニットの、第2のロック位置における概略的な側断面図である。
【図１２】図10に示したロックユニットの、第3のロック位置における概略的な側断面図である。
【図１３】参照のみのために示された別のロックユニットの、第1のロック位置における概略的な側断面図である。
【図１４】参照のみのために示された、図13に示したロックユニットの中間位置における概略的な側断面図である。
【図１５】参照のみのために示された図13に示したロックユニットの、第2のロック位置における概略的な側断面図である。
【図１６】図1に示したヘアートリム装置の、第1のロック位置におけるロックユニットの別の実施例の概略的な側断面図である。
【図１７】図16に示したロックユニットの、第2のロック位置における概略的な側断面図である。
【発明を実施するための形態】
【００３２】
以下、図面を参照して、一例としての本発明の実施例について、説明する。
【００３３】
図1乃至図5を参照すると、図には、これに限られるものではないが、体または顔のヘアーなどの脱毛およびヘアートリム用の装置10が示されている。ヘアートリム装置10は、ブレード部20およびハンドル部30を有する本体11を有する。ブレード部20は、ハンドル部30の一端に、固定的に取り付けられる。ブレード部20は、カッティングブレード組立体として機能し、ハンドル部30の一端から延伸する。ハンドル部30は、細長い形状を有する。ハンドル部30は、使用中、ユーザによって保持され、ユーザの肌に対して、ヘアートリム装置10が配向され、位置が定められる。ブレード部20は、装置10が作動された際に、脱毛するように構成される。ヘアートリム装置10は、さらに、カッティングガイド40を有する。カッティングガイド40は、本体11上に配置される。カッティングガイド40は、取り付け部41およびヘッド部42を有する。カッティングガイド40は、櫛状部材としても知られており、ブレード部20の上部に延伸する。すなわち、ヘッド部42は、カッティングブレード組立体20の上部に延在する。
【００３４】
カッティングガイド40の取り付け部41は、ハンドル部30に固定される。ヘッド部42は、取り付け部41から延伸する。ヘッド部42は、カッティングブレード組立体20の上に延伸する。ヘッド部42は、複数の櫛状素子43を有する。櫛状素子43は、相互に離間されており、ヘアーは、櫛状素子43の間を通過することができる。従って、ヘアーは、カッティングガイド40のヘッド部42に受容され、ブレード部20に提供され、ブレード部20によってトリムされる。カッティングガイド40のヘッド部42は、ガイド表面44を有する。ガイド表面44は、ヘアートリム装置10をユーザの顔または肌に対する配向または配置を定めるように配置され、さらには肌に対するカッティングブレード組立体の配向および位置が定められる。カッティングガイド40のガイド表面44は、櫛状素子43の端部表面により定められる。すなわち、櫛状素子43の端部表面は、相互に整列され、ガイド表面44が形成される。各櫛状素子43のガイド表面44は、カッティングガイド40が本体11に取り外し可能に固定された際に、カッティングブレード組立体20から離間される。
【００３５】
本実施例では、カッティングガイド40は、ハンドル部30に取り外し可能に固定される。カッティングガイド40は、所望のカット長さに調整するため、ハンドル部30に対してスライドするように構成される。カッティングガイド40により、ユーザは、肌／体に対して所定の長さで、正確にヘアーをトリムすることができる。
【００３６】
カッティングガイド40は、取り付けユニット50により、本体11のハンドル部30に取り付けられる。取り付けユニット50、またはガイド機構は、ハンドル部30に、カッティングガイド40をスライド可能に取り付ける手段を提供する。しかしながら、別の実施例では、カッティングガイド40は、ブレード部20に取り外し可能に固定されても良いことが理解される。取り付けユニット50は、本体11に第1の取り付け部51を有し、カッティングガイド40に第2の取り付け部52を有する。第1および第2の取り付け部51、52は、相互にスライド可能に取り付けられる。
【００３７】
カッティングガイド40をハンドル部30の位置にロックするため、ロックユニット60が提供される。すなわち、ロックユニット60は、ハンドル部30の所望の位置に、カッティングガイド40を固定するために提供され、これにより、ガイド表面44は、ブレード部20から所望の距離で配置されるようになる。ロックユニット60は、本体11に第1のロック部61を有し、カッティングガイド40に第2のロック部62を有する。第1および第2のロック部61、62は、相互に取り外し可能に結合されるように構成される。
【００３８】
ヘアートリム装置10の本体11に沿って、カッティングガイド40が動かされ、所定の位置で固定されると、トリムされるヘアー長さを定めるため、カッティングブレード組立体20と、カッティングガイド40のガイド表面との間の距離を設定することが可能となる。すなわち、カッティングガイド40は、ハンドル部30に沿って、スライド可能であり、ブレード部20に対するヘッド部42の位置を調整することができ、ハンドル部30に固定して、所望の位置にフィッティングガイドを固定することができる。取り付けユニット50およびロックユニット60は、相互にアタッチメント手段または機構を形成する。
【００３９】
カッティングブレード組立体として機能するブレード部20は、固定ブレードプレート21および移動ブレードプレート22を有する。移動ブレードプレート22は、固定ブレードプレート21に隣接して配置され、使用の際には、モータ（図示されていない）により駆動され、固定ブレードプレート21にわたって前後に振動する。各ブレードプレート21、22は、複数のカッティング歯23を有する。ヘアーは、2つのブレードプレート21、22の歯23の間に突出する場合、剪断動作によって切断され、移動ブレードプレート22は、固定ブレードプレート21にわたって前後に振動する。
【００４０】
ハンドル部30は、ハウジングを形成する。ハンドル部30は、ヘアートリム装置10を作動させるコントローラ、1または2以上のボタン（図示されていない）のようなユーザ入力、および電源ユニットを有する。電源ユニット（図示されていない）は、充電式バッテリであるが、主な作動電源を使用可能であることは明らかである。部材は、ハンドル部30のハウジング内に収容される。
【００４１】
ハンドル部30は、外側表面32を有する。取り付けユニット50の第1の取り付け部51は、外側表面32の側にある。第1の取り付け部51は、取り付けレール53を有する。取り付けレール53は、ハンドル部30の外側表面32から突出する。取り付けレール53は、ハンドル部30と一体的に構成される。取り付けレール53は、細長く、ハンドル部30の長手軸に平行に延伸する。取り付けレール53は、取り付け面54および平行側壁55を有する。取り付け面54は、平行側壁55の間に延在する。取り付け面54は、平坦である。取り付けレール53は、本体11に沿ったカッティングガイド40の経路を定める。
【００４２】
各側壁55の全長に沿って、取り付けリッジ56が延在する。取り付けリッジ56は、取り付け凹部57を定める。各取り付け凹部57は、対応する取り付けリッジ56と、ハンドル部30の外側表面32との間に形成される。取り付け凹部57は、相互に平行に、離間された状態で延伸する。
【００４３】
ロックユニット60の第1のロック部61は、ハンドル部30から延伸する。本実施例では、第1のロック部61は、取り付けユニット50の第1の取り付け部51上にある。取り付け面54には、開口63が形成される。開口63は、取り付けレール53を貫通して延伸する。すなわち、開口63は、取り付け面54から、ハンドル部30のハウジングに延伸する。図2には、ハウジングの切断図とともに、開口63の背面図が示されている。
【００４４】
開口63内には、第1のロック素子64および第2のロック素子65が受容される。第1および第2のロック素子64、65は、第1のロック部61の一部を形成する。第1および第2のロック素子64、65は、開口63から延在する。
【００４５】
第1および第2のロック素子64、65は、開口63内に相互に隣接して配置される。各ロック素子64、65は、開口63に沿ってスライド可能である。すなわち、開口63は、通路を定め、これに沿って、第1および第2のロック素子64、65の各々がスライドできる。第1および第2のロック素子61、62は、相互に独立に、開口56に沿ってスライド可能である。
【００４６】
以下、特に図6乃至図9を参照して、第1および第2のロック素子64、65について詳しく説明する。
【００４７】
第1のロック素子64は、結合端もしくは前端66、および支持端もしくは後端67を有する。第1のロック素子64の結合端66は、開口63から延伸する。すなわち、使用中、結合端66は、取り付けユニット50の取り付け面54から垂直に突出するように配置される。第1のロック素子64の支持端67は、開口63内に配置される。第1のロック素子64の支持端67は、開口63の側面の区画と第2のロック素子65の間に受容される。従って、第1のロック素子64は、開口63内に支持され、誘導される。第1のロック素子64の配置面は、第2のロック素子65の対応する配置面に対して配置するように構成される。
【００４８】
第1のロック素子64の支持端67には、リミッタ68が提供される。リミッタ68は、第1のロック素子64の動きを制限するように提供される。すなわち、リミッタ68は、結合端66が取り付け面54から突出できる範囲を制限するように構成される。リミッタ68は、開口63の内端69で途切れ、取り付け面54から第1のロック素子64の最大延伸部が定められる。第1のロック素子64の結合端66が開口63に向かって引き戻された際に、リミッタ68は、開口63の内端69から遠ざかるように移動することが理解される。開口63の内端69は、端部ストップとして機能する。
【００４９】
第1のロック素子64の結合端66は、ロック区画70およびリリース区画71を有する。ロック区画70は、2つの部分−第1および第2のロック区画部70a、70bを有する。第1および第2のロック区画部70a、70bは、リリース区画71のいずれかの側に配置される。本配置では、ロック区画70は、第1および第2のロック区画部70a、70bを有するが、別の配置では、単一のロック区画部または別の数のロック区画部が使用されても良いことが理解される。
【００５０】
各ロック区画部70a、70bは、取り付け面54から突出するように配置された突出タブである。各ロック区画部70a、70bは、自由端を有する。ロック面72は、自由端から遠ざかるように拡張される。ロック面72は、第1のロック素子64の移動方向に対して傾斜した角度で延伸する。
【００５１】
第1のロック素子64のリリース区画71は、ロック区画部70a、70bの間に提供される。リリース区画71は、ロック区画70を超えて延伸する。すなわち、リリース区画71は、ロック区画70の自由端から突出する。リリース区画71は、リリースタブを形成する。従って、リリース区画に力が作用した際に、ロック区画70は、開口63に向かう方向に引き戻される。
【００５２】
第2のロック素子65は、結合端もしくは前端73、および支持端もしくは後端74を有する。第2のロック素子65の結合端73は、開口63から延伸する。すなわち、使用中、第2のロック素子65の結合端73は、取り付けユニット50の取り付け面54から垂直に突出するように配置される。第2のロック素子65の支持端74は、開口63内に配置される。第2のロック素子65の支持端74は、開口63の側面の区画と、第1のロック素子64との間に受容される。従って、第2のロック素子65は、開口63内に支持され、誘導される。
【００５３】
第2のロック素子65の支持端74には、リミッタ（図示されていない）が提供される。リミッタ（図示されていない）は、第2のロック素子65の動きを制限するように提供される。すなわち、リミッタは、第2のロック素子65の結合端73が取り付け面54から突出できる範囲を制限する。リミッタは、開口63の内端69で途切れ、取り付け面54から第2のロック素子65の最大延伸部が定められる。第2のロック素子65の結合端73が開口63に向かって引き戻された際に、リミッタは、開口63の内端69から遠ざかるように移動することが理解される。本配置では、リミッタは、第1および第2のロック素子64、65のそれぞれから延伸する突起である。
【００５４】
第2のロック素子65の結合端73は、ロック区画75およびリリース区画76を有する。ロック区画75は、2つの部分−第1および第2のロック区画部75a、75bを有する。第1および第2のロック区画部75a、75bは、リリース区画76のいずれかの側に配置される。本配置では、第2のロック素子65のロック区画75は、第1および第2のロック区画部75a、75bを有するが、別の配置では、単一のロック区画部または別の数のロック区画部が使用されても良いことが理解される。
【００５５】
第2のロック素子65の各ロック区画部75a、75bは、取り付け面54から突出するように配置された突出タブである。第2のロック素子65の各ロック区画部75a、75bは、自由端を有する。第2のロック素子65のロック面77は、自由端から遠ざかるように拡張する。ロック面77は、第2のロック素子65の移動方向に対して傾斜した角度で延伸する。
【００５６】
第2のロック素子65のリリース区画76は、ロック区画75a、75bの間に提供される。リリース区画76は、ロック区画75を超えて延伸する。すなわち、リリース区画76は、第2のロック素子65のロック区画75の自由端から突出する。リリース区画76は、リリースタブを形成する。従って、リリース区画76に力が作用した際に、第2のロック素子65のロック区画75は、開口63に向かう方向に引き戻される。
【００５７】
第1および第2のロック素子64、65は、細長い形態である。すなわち、第1および第2のロック素子64、65の各々の結合端66、73は、細長い形態である。第1および第2のロック素子64、65の結合端は、相互に平行に延伸し、ハンドル部の長手軸に対して垂直に延伸する。結合端66、73は、ハンドル部30に沿ったカッティングガイド40の移動経路にわたって延伸する。第1および第2のロック素子64、65の結合端66、73は、取り付けレール51によって形成された取り付け凹部57に対して垂直に延伸する。
【００５８】
第1のロック素子44のリリース区画71は、第2のロック素子65のリリース区画76に隣接する。同様に、第1のロック素子64のロック区画70は、第2のロック素子65のロック区画75に隣接して配置される。従って、リリース区画およびロック区画は、相互に整列され、ロック区画とリリース区画の端部が整列される。
【００５９】
第1および第2のロック素子64、65、ならびに開口63は、第1および第2のロック素子64、65が唯一の面に沿って、ハンドル部30に対してスライドできるように構成される。第1および第2のロック素子64、65は、ハンドル部30の長手軸に対して、半径方向にスライドするように構成される。第1および第2のロック素子64、65は、強制ユニットまたは機構80（図2参照）により、開口63から出る方向に促される。強制ユニット80は、第1のロック素子64に作用するように配置された第1の強制部材81と、第2のロック素子65に作用するように配置された第2の強制部材82とを有する。第1および第2の強制部材81、82は、弾力性を有する。
【００６０】
第1の強制部材81は、弾力アームの組である。各アームの一端は、第1のロック素子64の支持端67に対して配置され、これに作用する。第1の強制部材81は、第1のロック素子64が開口63からスライドされるように構成される。すなわち、第1の強制部材81は、第1のロック素子64の結合端73を開口63から突出させる。前述のように、第1のロック部材64の移動の範囲は、リミッタ68により限定される。しかしながら、強制部材81は、リミット手段として機能しても良いことが理解される。
【００６１】
同様に、第2の強制部材82は、弾性アームの組である。各アームの一端は、第2のロック素子65の支持端74に対して配置され、これに作用する。第2の強制部材82は、第2のロック素子65が開口63からスライドするように構成される。すなわち、第2の強制部材82は、第2のロック素子65の結合端73を開口63から突出させる。前述のように、第2のロック部材65の移動の範囲は、リミッタにより限定される。しかしながら、強制部材82は、リミット手段として機能しても良いことが理解される。
【００６２】
本実施例では、第1および第2の強制部材81、82は、一体形成されるが、これらは別個のものであっても良いことが理解される。第1および第2の強制部材は、相互に独立に、第1および第2のロック素子64、65に作用する。
【００６３】
カッティングガイド40は、取り付けユニット50により、本体11のハンドル部30に取り付けられる。取り付けユニット50の第2の取り付け部52は、カッティングガイド40上に配置され、ハンドル部30上の第1の取り付け部51にスライド可能に取り付けられる。第2の取り付け部52は、取り付け部41に形成されたチャネル45を有する。チャネル45は、取り付け部41の後側に形成される。チャネル45は、ベース46および対向する側壁47を有する。側壁47は、相互に離間された状態で、平行に延伸する。チャネルベース46は、側壁47の間に延在する。チャネル45は、細長い形状である。
【００６４】
第1の取り付け部51の取り付けレール53は、第2の取り付け部52のチャネル45内に受容され得る。チャネル45の幅は、レール53上の取り付けフランジ48の端部同士の間の取り付けレール53の幅に対応する。チャネル45の深さは、取り付けレール53の高さに対応する。
【００６５】
チャネル45は、一端で開放され、他端に端部壁（図示されていない）を有する。従って、チャネル45に沿って、チャネルの開放端45から取り付けレール53をスライドすることができる。端部壁は、端部ストップとして機能し、チャネル45に沿った取り付けレール53の移動、さらにはハンドル部30に沿ったカッティングガイド40の移動が制限される。
【００６６】
取り付けフランジ48は、スライド壁47の各々から延伸する。取り付けフランジ48は、チャネルベース46から離間される。各取り付けフランジ48とチャネル45のベース46の間の距離は、取り付けレール53に形成された取り付けリッジ56の厚さに対応する。従って、第2の取り付け部52の取り付けフランジ48は、第1の取り付け部52の取り付け凹部57に、スライド可能に受容され得る。取り付けレール53がチャネル45に沿ってスライドした際に、取り付けリッジ56は、第2の取り付け部52の取り付けフランジ48と、チャネル45のベース46との間に、スライド可能に受容され得る。従って、カッティングガイド40は、第1および第2の取り付け部51、52が相互にスライド可能に取り付けられた際に、移動面の経路に沿ってスライドすることが抑制される。
【００６７】
カッティングガイド40は、ロックユニット60により、ハンドル部30上の位置に固定される。ロックユニットの第2のロック部62は、カッティングガイド40上にあり、ハンドル部30上の第1のロック部61と取り外し可能に結合される。第2のロック部62は、複数の受容凹部83を有する。受容凹部83は、チャネル45のベース46に形成される。受容凹部83は、相互に平行に配置される。受容凹部83は、直線配置で配置される。
【００６８】
隣接する受容凹部83は、受容リッジ84により分離される。従って、各受容凹部83は、2つの受容リッジ84により境界付けられる。各リッジ84の上端は、チャネル45のベース46の面を有する平面に配置される。
【００６９】
本配置では、隣接する受容凹部の中心は、相互に約2m離して配置される。同様に、隣接するリッジ84の中心は、相互に約2mm離して配置される。従って、一つの受容凹部83の中心と一つの隣接する受容リッジ84との間の距離は、約1mmである。
【００７０】
各受容凹部83は、2つの側壁85と、ベース86とを有する。凹部側壁85は、凹部ベース86から、受容凹部83（図10には示されていない）の開口まで分岐する。従って、側壁は、チャネルベース46に対して傾斜した角度で延伸する。分岐形状は、対応する受容凹部83内の配置素子64、65の配置の容易性に影響する。各受容凹部83は、ロック素子64、65の一つを受容するように構成される。すなわち、受容凹部83は、単一のロック素子64、65を一度に受容するように配置される。しかしながら、各受容凹部83は、第1および第2のロック素子64、65を交互に受容することも可能である。
【００７１】
また、ロックユニット60は、リリースユニット90を有する。リリースユニット90は、リリース部材91を有する。リリース部材は、細長い形状である。リリース部材91は、カッティングガイド40上にある。リリース部材91は、チャネル45のベース46に形成されたキャビティ92内に受容される。リリースユニット90は、受容凹部83の中央に設けられる。すなわち、リリースユニット90は、各受容凹部83を、2つの凹部83a、83bに分離する。リリース部材91は、2つの凹部83a、83bの間に配置される。リリース部材91の幅は、それぞれ、第1および第2のロック素子64、65の各々のリリース区画71、76の幅に対応する。各凹部83a、83bの幅は、第1および第2のロック素子64、65の対応するロック区画部70a、70b、75a、75bの各々の幅に対応する。
【００７２】
リリース部材91は、キャビティ92に回転可能に取り付けられる。すなわち、リリース部材は、一端の周囲でヒンジ運動される。リリース部材91は、引き戻り位置と作動位置の間で回転可能である。リリース部材91は、その引き戻り位置に向かってバイアス化される。引き戻り位置では、リリース部材91は、キャビティ92に引き戻される。作動位置では、リリース部材は、キャビティ92から出る方向に配置される。すなわち、リリース部材91は、チャネル45のベース46に向かう方向、および／またはベース46から出る方向に配置される。リリース部材91は、ロック素子64、65の一つが受容凹部83の一つに受容される結合状態から、ロック素子64、65が受容凹部83から出る分離状態に、第1および第2のロック素子64、65が促されるように配置される。
【００７３】
リリース部材91は、リリース面93を有する。リリース面93は、キャビティ92の面に面する。リリース部材91の他の側には、ボタン94がある。ボタン94は、ユーザ入力素子として機能し、カッティングガイド40の孔を貫通して延伸する。ボタン94は、カッティングガイド40の外側から突出する。従って、ボタンは、カッティングガイド40がハンドル部30にスライド可能に取り付けられた際に、アクセス可能である。ボタン94の提供により、リリース部材91に操作力が印加され、リリース部材をその引き戻り位置から作動位置に動かすことが可能となる。
【００７４】
リリース部材91のリリース面93には、複数のインデント95が形成される。複数のインデント95は、相互に平行に延伸する。インデント95は、各受容凹部83に整列され、アライメント素子として機能する。インデント95は、ロック素子64、65を受容凹部83に整列させるように機能する。インデント95は、受容凹部83よりも浅い深さを有する。従って、カッティングガイド40が本体11に沿ってスライドすると、ロック素子64、65は、過度の力を必要とせずに、インデントから、およびインデントの上部にスライドすることができる。
【００７５】
使用の際には、カッティングガイド40は、取り付けユニット50により、ハンドル部30にスライド可能に取り付けられる。ハンドル部30の取り付けレール53は、カッティングガイド40上のチャネル45に受容される。取り付けレール53は、チャネル45の開放端からチャネルにスライドする。取り付けリッジ56は、第2の取り付け部52の取り付けフランジ48と、チャネル45のベース46との間に、スライド可能に受容される。取り付けレール53は、その後、チャネル45内にスライドすることができる。
【００７６】
第1および第2のロック素子64、65は、初期に、取り付けレール53の取り付け面54から突出する。すなわち、ロック素子64、65のロック区画70、75、ならびにリリース区画71、76は、開口63から延伸する。強制ユニット80の第1および第2の強制部材81、82は、第1および第2のロック素子64、65に作用し、ロック素子64、65を、開口63から延びるようにバイアス化する。取り付けレール53がチャネル45にスライドされると、チャネル45のベース46は、取り付けレール53の取り付け面54と重なり合う。従って、チャネル45のベース46は、第1および第2のロック素子64、65に作用し、ロック素子64、65は、開口60に向かう方向に引き戻される。すなわち、第1および第2のロック素子64、65は、非結合状態となるが、チャネル45のベース46に対してバイアス化される。第1および第2のロック素子64、65の各々のロック区画70、75は、チャネルベース46で途切れる。第1および第2のロック素子64、65の各々のリリース区画71、76は、チャネル45のベース46内のキャビティ92に受容される。リリースユニット90のリリース部材91は、初期に引き戻し位置にバイアス化されることが理解される。従って、この段階では、リリース部材91は、第1および第2のロック素子64、65には機能しない。
【００７７】
カッティングガイド40がさらに、ハンドル部30に沿ってスライドされると、第1および第2のロック素子64、65は、第1のロック素子64が第1の受容凹部83aに到達するまで、チャネル45のベースに沿ってスライドする。次に、第1のロック素子64は、第1の受容凹部83aの上部に移動する。この段階では、第1の強制部材81は、第1のロック素子64をバイアス化し、受容凹部83にスライドする。第1のロック素子64は、その非結合状態から、その結合状態に移動する。従って、第1のロック素子64のロック区画70は、第1の受容凹部83aに配置される。凹部83aの集合側壁85は、第1のロック素子64の配置を支援する。
【００７８】
第1のロック素子64のロック区画70が第1の受容凹部83aに受容された場合、リリース区画71は、リリース部材91に向かって移動する。しかしながら、リリースユニット90は、初期に、引き戻し位置にバイアス化されており、従って、第1のロック素子64のロック区画70が第1の受容凹部83ａに受容されることを妨害しない。第1の強制部材81の動作により、第1のロック素子64は、その結合状態に維持される。
【００７９】
従って、ロックユニット60は、本体、さらにはブレード部20に対するカッティングガイド40の移動を抑制する。ヘッド部42は、ブレード部20の上部に延伸する。次に、カッティングガイド40は、離れた第1のロック位置に配置される。すなわち、カッティングガイド40の位置は、カッティングブレード組立体に対して、第1のロック位置に固定され、ヘアーを所望の長さに脱毛可能な、ユーザの肌からのカッティング距離が提供される。
【００８０】
受容凹部83の各々は、単一のロック素子64を受容するように構成されることが理解される。従って、第1のロック素子64が受容凹部83aに受容されると、第2のロック素子65は、チャネル45のベース46上に保持される。すなわち、第1の受容凹部83aに隣接するチャネルベース46は、受容リッジ84として機能する。第2のロック素子65のロック区画75は、受容リッジ84と境界を接し、結合状態への移動が抑制される。
【００８１】
図10乃至図12には、ロックユニット60の概略図が示されている。図10では、ロックユニット60は、第1の受容凹部83aに受容された第1のロック素子64を有するように示されている。第2のロック素子65は、第1の受容リッジ84に対して配置される。従って、カッティングガイド40の移動が限定されることが理解される。
【００８２】
カッティングブレード組立体に対するカッティングガイド40の位置調整のため、ユーザは、ボタン94に力を加える。リリースユニット90のリリース部材91は、第1および第2のロック素子64、65に向かって動かされる。リリース面93は、キャビティ92に延伸する第1のロック素子64のリリース区画71と接触する。次に、リリース部材91は、第1のロック素子64のリリース区画71に作用し、第1のロック部材64を、その非結合状態に移動させる。すなわち、第1のロック素子64のロック区画70は、第1の受容凹部83aから引き戻される。第1のロック素子64が受容凹部83aから分離されると、カッティングガイド40は、ハンドル部30に沿ってスライドできるようになる。また、リリース部材91は、第2のロック素子65のリリース区画76に作用し、第2のロック部材65は、その非結合状態が維持される。すなわち、第1および第2のロック素子64、65は、受容凹部に配置することはできないが、リリース部材91は、これらに作用し、これらが結合状態に移動することを抑制する。
【００８３】
カッティングガイド40は、ハンドル部30に沿ってスライドし、ボタン94が押し下げられると、第1および第2のロック素子64、65のリリース区画71、76は、リリース部材91のリリース面93に対してバイアス化される。従って、ロック素子64、65は、リリース面93に形成されたインデント65に対して配置され、この上で移動される。インデント95は、浅いプロファイルを有するように形成され、ユーザは、ロック素子64、65をインデント95からスライドさせるために、過度の力を行使する必要はない。インデント95は、触知できるフィードバックをユーザに提供するように機能し、カッティングガイド40がブレード部20に対する所望の位置に配置される。また、インデント95は、受容凹部83に整列され、ロック素子64、65の各々の受領凹部83に対する位置合わせが支援されることが理解される。
【００８４】
単一の別個の配置により、すなわちロックユニットがカッティングガイド40を本体11に対してロックし得る最小距離で、本体11に沿った位置にカッティングガイド40を動かしロックすることをユーザが望む場合、カッティングガイド40は、第1のロック位置からハンドル部30に沿ってスライドされる。本配置では、個々の位置の間の距離は、約1mmであることが理解される。
【００８５】
カッティングガイド40が第2の別個の位置に配置されると、ユーザは、ボタン94をリリースする。次に、リリース部材91は、その作動位置から、第1および第2のロック素子64、65から遠ざかる引き戻し位置に移動する。次に、第1および第2のロック素子64、65は、それらの結合状態に移動される。第2のロック素子65は、第1の受容凹部83aに配置され、第1のロック素子64は、隣接する受容凹部84で途切れる。図1には、そのような配置が示されている。従って、ロックユニットがロック状態で結合されるようにするため、第1のロック素子64を、次の受容凹部まで移動させる必要はない。
【００８６】
別の単一の別個の位置により、本体11に沿ってカッティングガイド40を動かし、ロックすることをユーザが望む場合、リリースユニット90は、ユーザによって作動され、カッティングガイド40は、必要な距離だけ本体11に沿ってスライドする。次に、リリースユニット90がリリースされる。次に、第1のロック素子64は、第2の受容凹部83bに配置され、第2のロック素子は、隣接する受容リッジ84で途切れる。図12には、そのような配置が示されている。
【００８７】
カッティングガイド40は、カッティングガイドに形成された複数の受容凹部83により、多くの位置に配置され、ロックされることが理解される。前述の配置を用いた場合、カッティングガイド40は、リリースユニット90が作動される各タイミングで、2以上の単一の個別の位置によって、動かされることが理解される。
【００８８】
図13乃至15には、単一のロック素子101のみを有するロックユニット100が示されている。図13乃至図15に示した配置は、一例に過ぎない。この配置では、受容凹部102には、前述の配置における受容凹部と同じ配置および同じ間隔が提供される。受容リッジ103は、各受容凹部102に隣接して形成される。この配置では、ロック素子101が凹部102の一つに整列された際に、カッティングガイドは、ロック状態にのみ配置されても良いことが理解される。従って、図13乃至15に示すように、ロック位置の間の距離は、各凹部の中心の間の距離と等しい。一方、図10乃至12に示す配置では、ロック位置の間の距離は、各凹部102の中心間の距離の半分に等しい。従って、2つのロック素子を有する前述の配置は、単一のロック素子を有する配置に比べて、凹部のセット数用に、2倍の数の別個のロック位置を提供する。従って、ロック位置間の距離は、半分になる。さらに、ロック位置の間のセット距離用の凹部およびロック素子が最大となり、ロックユニットの剛性が最大化される。
【００８９】
前述の実施例では、第1および第2のロック素子は、相互に隣接して配置されるが、別の配置では、第1および第2の素子は、相互に離間して配置されても良いことが理解される。ここで、図16および図17を参照すると、図には、ヘアートリム装置の別の実施例のロックユニット110が示されている。この実施例のヘアートリム装置は、全般に、前述のヘアートリム装置と同じであり、従って、ここでは、ヘアートリム装置の詳細な記載は省略する。
【００９０】
図16および図17に示したロックユニット110は、第1のロック素子111と、第2のロック素子112とを有する。第1および第2のロック素子112は、単一のロック素子の2倍の幅で、相互から離間される。あるいは、第1および第2の素子は、単一のロック素子の幅の2の倍数分だけ、相互から離間されても良いことが理解される。この配置の提供により、一つのロック素子が受容されると、他のロック素子は、非結合位置となる。
【００９１】
カッティングガイドが、装置の本体に沿って単一の別個の位置に動かされると、第2のロック素子は、異なる受容凹部で、第1のロック素子が受容されている受容凹部と結合することが理解される。しかしながら、第1のロック素子は、受容リッジの一つに対して配置されることが理解される。この配置は、第1および第2のロック素子が相互に離間され、相互に対してスライドされない点で有意である。従って、ロック素子の一つが、結合状態に移動することが抑制されると、これは、他のロック素子には影響せず、他のロック素子は、依然として機能することができる。
【００９２】
前述の実施例では、ロック素子を有する第1のロック部は、本体上に配置され、受容凹部を有する第2のロック部は、カッティングガイド上に配置されるが、別の配置では、第1のロック部がカッティングガイド上に配置され、第2のロック部が本体上に配置されても良いことが理解される。
【００９３】
前述の実施例では、リリースユニットは、ロック素子がロックユニットから分離されるように提供されるが、別の配置では、リリースユニットは、省略されても良いことが理解される。そのような配置では、ユーザにより、カッティングガイドが装置の本体に対してスライドするように、対応する凹部に収容されたロック素子に作用する横の力は、ロック素子を分離状態にもたらすほど十分に大きい。これは、傾斜側壁におよび／または浅い深さで、受容凹部を提供することにより得られても良い。
【００９４】
前述の実施例では、ロックユニットは、第1および第2のロック素子を有するように提供されるが、配置はこれに限られないことが理解される。例えば、ロックユニットには、第3のロック素子が提供されても良い。そのような配置では、第1または第2のロック素子の一つがある受容凹部に配置された際に、第3のロック素子は、そのまたは別の受容凹部に配置される。同様に、別の配置では、ロックユニットには、第3のロック素子および第4のロック素子が提供される。そのような配置では、第1のロック素子がある受容凹部に配置された際に、第3のロック素子は、そのまたは別の受容凹部の一つに配置され、第2のロック素子がある受容凹部に配置された際に、第4のロック素子は、そのまたは別の受容凹部に配置される。
【００９５】
「有する」と言う用語は、他の素子またはステップを排斥するものではなく、「ひとつの」と言う用語は、複数の存在を否定するものではないことが理解される。単一のプロセッサで、請求項に記載のいくつかの事項の機能を満たしても良い。単にある手段が相互に異なる従属請求項に記載されていることから、これらの手段の組み合わせが有意に使用されないと解してはならない。請求項における参照符号は、請求項の範囲を限定するものと解してはならない。
【００９６】
本願において、請求項には、特定の特徴物の組み合わせが明記されているが、本発明の開示の範囲は、いかなる請求項に示したものと同じ発明に関するか否かに関わらず、ならびに親の発明と同じ技術的課題のいずれかもしくは全てを緩和するかどうかに関わらず、明確にもしくは間接的に示されたまたはその一般概念の、いかなる新たな特徴物、または特徴物のいかなる新たな組み合わせをも含むことに留意する必要がある。その結果、出願人は、本願の手続中に、または本願から生じるいかなる別の出願中においても、新たな請求項がそのような特徴および／または特徴の組み合わせを形成し得ることを通知する。
【図１】
0005731725.tif 000002
【図２】
0005731725.tif 000003
【図３】
0005731725.tif 000004
【図４】
0005731725.tif 000005
【図５】
0005731725.tif 000006
【図６】
0005731725.tif 000007
【図７】
0005731725.tif 000008
【図８】
0005731725.tif 000009
【図９】
0005731725.tif 000010
【図１０】
0005731725.tif 000011
【図１１】
0005731725.tif 000012
【図１２】
0005731725.tif 000013
【図１３】
0005731725.tif 000014
【図１４】
0005731725.tif 000015
【図１５】
0005731725.tif 000016
【図１６】
0005731725.tif 000017
【図１７】
0005731725.tif 000018